(57)【要約】【課題】身体の股間に対するフィット性を確保しつつ臀部に対するフィット性も確保し、漏れを抑制できる使い捨ておむつを提供する。【解決手段】使い捨ておむつ(10)は、少なくとも股下域に配置された吸収コア(31)と、吸収コアの幅方向の中心の両外側に配置され、かつ前後方向に延びる一対の股下伸縮部(41)と、を備える。吸収コアは、吸収コアの最大幅よりも幅方向の長さが短い幅狭部(35)を有する。股下伸縮部の少なくとも一部は、幅狭部において吸収コアの外側縁よりも幅方向の内側に配置されている。股下伸縮部(41)の後端縁(41R)は、幅狭部(35)の後端縁(35R)よりも前側に配置されている。【選択図】図２
2020025789.tif 000002
【特許請求の範囲】
【請求項１】
互いに直交する前後方向及び幅方向と、
前胴回り域、後胴回り域、及び前記前胴回り域及び前記後胴回り域との間に配置された股下域と、
少なくとも前記股下域に配置された吸収コアと、
前記吸収コアの前記幅方向の中心の両外側に配置され、かつ前記前後方向に延びる一対の股下伸縮部と、を備え、
前記吸収コアは、前記吸収コアの最大幅よりも前記幅方向の長さが短い幅狭部を有する使い捨ておむつであって、
前記股下伸縮部の少なくとも一部は、前記幅狭部において前記吸収コアの外側縁よりも幅方向の内側に配置されており、
前記股下伸縮部の後端縁は、前記幅狭部の後端縁よりも前側に配置されている、使い捨ておむつ。
【請求項２】
前記股下伸縮部の前端縁は、前記幅狭部の前端縁よりも後側に配置されている、請求項１に記載の使い捨ておむつ。
【請求項３】
前記股下伸縮部と前記吸収コアの外側縁との距離は、前記吸収コアの外側縁間の長さに対する１／４以上である、請求項１又は請求項２に記載の使い捨ておむつ。
【請求項４】
前記吸収コアよりも肌面側に配置され、前記吸収コアの外側部を覆う一対のサイドシートを有し、
前記サイドシートは、防漏弾性部材の収縮によって起立する収縮部及び前記収縮部よりも前記幅方向の外側において前記収縮部の起立支点となる基点部を有する一対の防漏ギャザーを構成し、
前記収縮部の頂点と前記基点部との前記幅方向の距離は、前記幅狭部における吸収コアの外側縁と前記股下伸縮部との前記幅方向の距離よりも長い、請求項１から請求項３のいずれか１項に記載の使い捨ておむつ。
【請求項５】
前記股下伸縮部は、前記吸収コアの幅方向の中心に対する一方側に配置された第１股下伸縮部と、前記吸収コアの幅方向の中心に対する他方側に配置された第２股下伸縮部と、を有し、
前記第１股下伸縮部及び前記第２股下伸縮部は、前記幅方向に間隔を空けて配置された複数の弾性部材をそれぞれ有しており、
前記第１股下伸縮部の前記弾性部材間の距離及び前記第２股下伸縮部の前記弾性部材間の距離は、前記吸収コアの厚さに対する３倍以下である、請求項１から請求項４のいずれか１項に記載の使い捨ておむつ。
【請求項６】
前記股下域の前記吸収コアには、前記一対の股下伸縮部間において周囲の領域よりも剛性が高い高剛性部が設けられており、
前記高剛性部は、前記吸収コアの前記幅方向の中心を跨いでいる、請求項１から請求項５のいずれか１項に記載の使い捨ておむつ。
【請求項７】
前記後胴回り域において少なくとも前記幅方向に伸縮する腰回り伸縮部を有し、
前記腰回り伸縮部は、前記幅狭部よりも後側かつ前記股下伸縮部よりも前記幅方向の外側において前記吸収コアに重なる領域に配置されている、請求項１から請求項６のいずれか１項に記載の使い捨ておむつ。
【請求項８】
前記腰回り伸縮部は、第１領域と、前記第１領域よりも前記幅方向の伸長率が高い第２領域と、を有し、
前記股下伸縮部の前記後端縁から後側に延びる第１延長線上には、前記第１領域が配置されている、請求項７に記載の使い捨ておむつ。
【請求項９】
前記股下伸縮部よりも前記幅方向の外側の領域から後側に延びる第２延長線上には、前記第２領域が配置されている、請求項８に記載の使い捨ておむつ。
【請求項１０】
前記後胴回り域に配置され、かつ前記前胴回り域に係合する係合部を有するファスニングテープと、
前記吸収コアよりも前記幅方向の外側において前記前後方向に伸縮する脚回り伸縮部と、を備え、
前記係合部の内側縁における前端縁と前記股下伸縮部の後端縁とを繋ぐ第１仮想線上には、前記脚回り伸縮部が配置されている、請求項１から請求項９のいずれか１項に記載の使い捨ておむつ。
【請求項１１】
前記後胴回り域に配置され、かつ前記前胴回り域に係合する係合部を有するファスニングテープを有し、
前記股下伸縮部よりも後側の前記吸収コアには、前記後側に向かって前記幅方向の外側に向かって延び、かつ前記幅方向に間隔を空けて配置された一対の変形基点部が設けられており、
前記変形基点部は、前記股下伸縮部の後端縁と前記幅狭部の後端縁を繋ぐ第２仮想線よりも前記幅方向の内側に配置されている、請求項１から請求項１０のいずれか１項に記載の使い捨ておむつ。
【請求項１２】
前記第２仮想線の前記幅方向に対する角度は、前記変形基点部の前記幅方向に対する角度よりも小さい、請求項１１に記載の使い捨ておむつ。
【発明の詳細な説明】
【技術分野】
【０００１】
本発明は、股下域に前後方向に延びる一対の股下伸縮部を有する使い捨ておむつに関する。
【背景技術】
【０００２】
股下域に前後方向に延びる一対の股下伸縮部を有する使い捨ておむつが知られている（例えば、特許文献１参照）。股下伸縮部は、吸収コアに重なる領域に配置されている。股下伸縮部が収縮することにより、股下域の吸収コアが身体側に引き上げられる。
【０００３】
また、特許文献１の吸収コアには、前後方向に延びる一対の溝状部が形成されている。溝状部は、吸収コアの変形基点となる。このように構成された使い捨ておむつは、装着時に、溝状部を基点に吸収コアが変形するとともに、股下伸縮部と重なる吸収コアが身体側に引き上げられる。
【先行技術文献】
【特許文献】
【０００４】
【特許文献１】特開２０１８−４７３号公報
【発明の概要】
【発明が解決しようとする課題】
【０００５】
しかし、上述の使い捨ておむつは、以下の問題があった。
使い捨ておむつは、着用者の臀部から腹部を覆うように装着される。使い捨ておむつが装着される身体の形状は、股間において最も狭く、股間から臀部に向かって幅方向の外側に膨らんでいる。特許文献１の使い捨ておむつでは、股下伸縮部の収縮によって引き上げられた吸収コアが着用者の股間に対して引き上げられる。しかし、股間から臀部に向かって股下伸縮部が前後方向に平行に延びているため、臀部に対しても股間と同じように吸収コアが引き上げられる。そのため、着用者の股間に対してフィットした吸収コアの変形が後胴回り域にも連なると、臀部に対して使い捨ておむつがフィットせず、漏れが発生するおそれがあった。
【０００６】
よって、身体の股間に対するフィット性を確保しつつ臀部に対するフィット性も確保し、漏れを抑制できる使い捨ておむつが望まれる。
【課題を解決するための手段】
【０００７】
一態様に係る使い捨ておむつは、互いに直交する前後方向及び幅方向と、前胴回り域、後胴回り域、及び前記前胴回り域及び前記後胴回り域との間に配置された股下域と、少なくとも前記股下域に配置された吸収コアと、前記吸収コアの前記幅方向の中心の両外側に配置され、かつ前記前後方向に延びる一対の股下伸縮部と、を備え、前記吸収コアは、前記吸収コアの最大幅よりも前記幅方向の長さが短い幅狭部を有する使い捨ておむつであって、前記股下伸縮部の少なくとも一部は、前記幅狭部において前記吸収コアの外側縁よりも幅方向の内側に配置されており、前記股下伸縮部の後端縁は、前記幅狭部の後端縁よりも前側に配置されている。
【図面の簡単な説明】
【０００８】
【図１】実施形態に係る使い捨ておむつの肌面側から見た平面図である。
【図２】実施形態に係る吸収コアの平面図である。
【図３】図１に示す使い捨ておむつのＡ−Ａ断面に沿った模式断面図である。
【図４】図１に示す使い捨ておむつのＢ−Ｂ断面に沿った模式断面図である。
【図５】図１に示す使い捨ておむつのＣ−Ｃ断面に沿った模式断面図である。
【図６】使い捨ておむつのＡ−Ａ断面における装着状態を模式的に示した図である。
【図７】実施形態に係る使い捨ておむつの装着状態を模式的に示した図である。
【図８】着用時の吸収コアの変形態様を説明するための図である。
【図９】使い捨ておむつのＢ−Ｂ断面における吸収体の変形態様を説明するための図である。
【発明を実施するための形態】
【０００９】
（１）実施形態の概要
本明細書及び添付図面の記載により、少なくとも以下の事項が明らかとなる。
一態様に係る使い捨ておむつは、互いに直交する前後方向及び幅方向と、前胴回り域、後胴回り域、及び前記前胴回り域及び前記後胴回り域との間に配置された股下域と、少なくとも前記股下域に配置された吸収コアと、前記吸収コアの前記幅方向の中心の両外側に配置され、かつ前記前後方向に延びる一対の股下伸縮部と、を備え、前記吸収コアは、前記吸収コアの最大幅よりも前記幅方向の長さが短い幅狭部を有する使い捨ておむつであって、前記股下伸縮部の少なくとも一部は、前記幅狭部において前記吸収コアの外側縁よりも幅方向の内側に配置されており、前記股下伸縮部の後端縁は、前記幅狭部の後端縁よりも前側に配置されている。
【００１０】
本態様によれば、股下域の吸収コアは、股下伸縮部の収縮によって身体側に引き上げられる。一対の股下伸縮部が幅方向の中心の両外側に位置しており、股下伸縮部の収縮によって股下伸縮部と重なる部位が引き上げられ、当該股下伸縮部によって挟まれた領域は、身体に沿うような平坦な形状を維持しつつ引き上げられる。一対の股下伸縮部は、吸収コアの外側縁よりも幅方向の内側に位置し、一対の股下伸縮部間の領域は、股下伸縮部よりも幅方向の外側の領域に対して身体側に引き上げられる。よって、身体の股間に対するフィット性を確保できる。
【００１１】
また、一対の股下伸縮部間の領域が身体側に引き上げられると、幅狭部と股下伸縮部が幅方向に重なる領域において幅狭部が幅方向の内側に引っ張られ、股下伸縮部の後端縁と幅狭部の後端縁を繋ぐ折れ線が形成される。一対の股下伸縮部による変形は、これらの折れ線に沿って吸収コアの側縁に導かれ、股下伸縮部による変形が後胴回り域に伝達することを抑制できる。臀部に対するフィット性を確保し、後漏れを抑制できる。加えて、股下伸縮部の後端縁と幅狭部の後端縁を繋ぐ折れ線が形成されることにより、当該折れ線の距離が短くなるような変形を抑制し、幅狭部の後端縁が幅方向の内側に移動する力に対して対向する。よって、幅狭部の後端縁が幅方向の内側に移動し難く、後胴回り域における吸収コアの幅を確保できる。よって、吸収コアによって広い面積で臀部を覆うことができ、漏れを抑制できる。
【００１２】
好ましい一態様によれば、前記股下伸縮部の前端縁は、前記幅狭部の前端縁よりも後側に配置されてよい。
【００１３】
本態様によれば、一対の股下伸縮部間の領域が凸状に変形すると、股下伸縮部の前端縁と幅狭部の前端縁を繋ぐ折れ線も形成される。股下伸縮部による変形が前胴回り域に伝達することを抑制できる。腹部に対するフィット性を確保し、前漏れを抑制できる。また、幅狭部の前端縁が幅方向の内側に移動する力に対して股下伸縮部の前端縁と幅狭部の前端縁を繋ぐ折れ線が対向し、前胴回り域における吸収コアの幅を確保できる。よって、吸収コアによって広い面積で腹部を覆うことができ、漏れを抑制できる。
【００１４】
好ましい一態様によれば、前記股下伸縮部と前記吸収コアの外側縁との距離は、前記吸収コアの外側縁間の長さに対する１／４以上であってよい。
【００１５】
本態様によれば、股下伸縮部を基点として身体側に凸状に変形すると、股下伸縮部よりも幅方向の外側の領域は、凸状の変形を支持する領域となる。股下伸縮部よりも幅方向の外側の領域は、吸収コアの幅方向の全域に対する１／４以上であるため、凸状の変形を安定して支持し、凸形状を維持し易くなる。また、股下伸縮部よりも幅方向の外側の領域の剛性が高くなることにより、吸収コアの幅狭部が凸状に変形し過ぎず、吸収コアによって身体を覆う面積を確保できる。吸収コアによって広い面積で身体を覆うことにより、漏れをより抑制できる。
【００１６】
好ましい一態様によれば、前記吸収コアよりも肌面側に配置され、前記吸収コアの外側部を覆う一対のサイドシートを有し、前記サイドシートは、防漏弾性部材の収縮によって起立する収縮部及び前記収縮部よりも前記幅方向の外側において前記収縮部の起立支点となる基点部を有する一対の防漏ギャザーを構成し、前記収縮部の頂点と前記基点部との前記幅方向の距離は、前記幅狭部における吸収コアの外側縁と前記股下伸縮部との前記幅方向の距離よりも長くてよい。
【００１７】
本態様によれば、防漏ギャザーは、防漏弾性部材の収縮によって収縮部を頂点として着用者側に起立する。起立時の防漏ギャザーの最大高さは、収縮部の頂点と基点部との前記幅方向の距離となる。また、幅狭部が設けられた領域における凸状の変形の最大高さは、吸収コアの幅狭部の外側縁と股下伸縮部との距離となる。収縮部の頂点と基点部との距離が、吸収コアの幅狭部の外側縁と股下伸縮部との距離よりも長いため、凸状の変形の高さよりも防漏ギャザーの高さが高くなり、防漏ギャザーによって横漏れを抑制できる。
【００１８】
好ましい一態様によれば、前記股下伸縮部は、前記吸収コアの幅方向の中心に対する一方側に配置された第１股下伸縮部と、前記吸収コアの幅方向の中心に対する他方側に配置された第２股下伸縮部と、を有し、前記第１股下伸縮部及び前記第２股下伸縮部は、前記幅方向に間隔を空けて配置された複数の弾性部材をそれぞれ有しており、前記第１股下伸縮部の前記弾性部材間の距離及び前記第２股下伸縮部の前記弾性部材間の距離は、前記吸収コアの厚さに対する３倍以下であってよい。
【００１９】
本態様によれば、第１股下伸縮部及び第２股下伸縮部がそれぞれ複数の弾性部材を有することにより、吸収コアを引き上げる力が強くなり、吸収コアの凸形状をより維持し易い。また、弾性部材間の距離が吸収コアの厚さに対する３倍よりも離れていると、各弾性部材が独立して吸収コアを引き上げ、弾性部材が一体化して吸収コアを引き上げにくいことがある。弾性部材間の距離が吸収コアの厚さに対する３倍以下であるため、第１股下伸縮部の複数の弾性部材が一体化して吸収コアを引き上げるとともに、第２股下伸縮部の複数の弾性部材が一体化して吸収コアを引き上げることができる。よって、吸収コアの凸形状をより形成し易くなる。
【００２０】
好ましい一態様によれば、前記股下域の前記吸収コアには、前記一対の股下伸縮部間において周囲の領域よりも剛性が高い高剛性部が設けられており、前記高剛性部は、前記吸収コアの前記幅方向の中心を跨いでよい。
【００２１】
本態様によれば、高剛性部によって剛性が高められ、吸収コアが身体に沿うような面形状になり易い。一対の股下伸縮部間の領域が凸状に変形し過ぎず、吸収コアによって身体を覆う面積を確保できる。また、吸収コアの幅方向の中心を跨がって高剛性部が設けられているため、身体の排泄口に対して吸収コアを沿わせて配置し、体液の引き込み性を高め、漏れを抑制できる。
【００２２】
好ましい一態様によれば、前記後胴回り域において少なくとも前記幅方向に伸縮する腰回り伸縮部を有し、前記腰回り伸縮部は、前記幅狭部よりも後側かつ前記股下伸縮部よりも前記幅方向の外側において前記吸収コアに重なる領域に配置されてよい。
【００２３】
本態様によれば、幅狭部の後端縁には、上述のように、股下伸縮部の後端縁から延びる折れ線が到達する。折れ線は、幅狭部の後端縁が幅方向の内側に移動する力に対して対向し、幅狭部の後端縁が幅方向の内側に移動し難くなる。
腰回り伸縮部と重なる領域の吸収コアは、腰回り伸縮部の収縮によって幅方向の長さが短くなる。このとき、幅狭部よりも後側かつ股下伸縮部よりも幅方向の外側の領域は、腰回り伸縮部の収縮によって幅狭部の後端縁を基点に幅方向の内側に変形し易い。このとき、幅狭部の後端縁は、変形基点となり、幅方向の内側に移動しにくい。股下伸縮部よりも後側に位置する幅狭部の後端縁が幅方向の内側により移動し難くなり、後胴回り域における吸収コアの幅方向の長さをより確保し易く、後漏れを抑制できる。
【００２４】
好ましい一態様によれば、前記腰回り伸縮部は、第１領域と、前記第１領域よりも前記幅方向の伸長率が高い第２領域と、を有し、前記股下伸縮部の前記後端縁から後側に延びる第１延長線上には、前記第１領域が配置されてよい。
【００２５】
本態様によれば、股下伸縮部の前記後端縁から後側に延びる第１延長線上に第１領域が設けられているため、股下伸縮部の収縮によって凸状に変形する領域は、腰回り伸縮部の収縮によって幅方向に縮まりにくく、凸状の変形状態を維持しやすい。
【００２６】
好ましい一態様によれば、股下伸縮部よりも前記幅方向の外側の領域から後側に延びる第２延長線上には、前記第２領域が配置されてよい。
【００２７】
本態様によれば、第２延長線上に第２領域が設けられているため、吸収コアの股下伸縮部よりも幅方向の外側の領域が、幅狭部の後端縁を基点に幅方向の内側により変形し易くなる。股下伸縮部よりも後側に位置する幅狭部の後端縁が幅方向の内側により移動し難くなり、後胴回り域における吸収コアの幅方向の長さをより確保し易く、後漏れを抑制できる。
【００２８】
好ましい一態様によれば、前記後胴回り域に配置され、かつ前記前胴回り域に係合する係合部を有するファスニングテープと、前記吸収コアよりも前記幅方向の外側において前記前後方向に伸縮する脚回り伸縮部と、を備え、前記係合部の内側縁における前端縁と前記股下伸縮部の後端縁とを繋ぐ第１仮想線上には、前記脚回り伸縮部が配置されてよい。
【００２９】
本態様によれば、係合部の内側縁における前端縁と前記股下伸縮部の後端縁とを繋ぐ第１仮想線には、装着時にファスニングテープが引っ張られた際に幅方向の外側に引っ張られる力が作用する。装着時の操作によって股下伸縮部の後端縁が幅方向の外側に引っ張られ、股下伸縮部によって身体側に凸状に変形した吸収コアも幅方向の外側に引っ張られる。よって、吸収コアの凸状に変形が幅方向の内側に倒れることを抑制し、凸状の変形状態を維持しやすい。また、第１仮想線上に脚回り伸縮部が配置されており、装着時に脚回り伸縮部も引き上げることができる。よって、股間の排泄口に対するフィット性と、脚回りに対するフィット性と、を向上させることができ、漏れをより抑制できる。
【００３０】
好ましい一態様によれば、前記後胴回り域に配置され、かつ前記前胴回り域に係合する係合部を有するファスニングテープを有し、前記股下伸縮部よりも後側の前記吸収コアには、前記後側に向かって前記幅方向の外側に向かって延び、かつ前記幅方向に間隔を空けて配置された一対の変形基点部が設けられており、前記変形基点部は、前記股下伸縮部の後端縁と前記幅狭部の後端縁を繋ぐ第２仮想線よりも前記幅方向の内側に配置されてよい。
【００３１】
本態様によれば、股下伸縮部の後端縁と幅狭部の後端縁を繋ぐ第２仮想線は、幅狭部の後端縁が幅方向の内側に移動する力に対向する折れ線となり、当該折れ線によって挟まれた領域は、身体を覆うように配置される。当該領域内における股下伸縮部よりも後側は、変形基点部によって変形する。変形基点部は、後側に向かって幅方向の外側に向かって延びており、吸収コアには、後胴回り域から股下域に向かって幅方向の内側に延びる変形基点が形成される。
テープ型の使い捨ておむつを装着するために、後胴回り域に臀部を載せ、股下域側におむつを引っ張った際に、吸収コアは、後胴回り域から股下域に向かって幅方向の内側に延びる基点によって変形する。これにより、股下域側に向かって幅方向の長さが短くなるように吸収コアを変形させることができる。股下域の吸収コアは、一対の股下伸縮部の収縮によって身体側に凸状に変形する。よって、股下域の吸収コアが身体側に沿って配置される。よって、着用者の股間に吸収コアを適切に収めることができる。着用者の臀部に対して吸収コアを広い面積で覆いつつ、着用者の両足間の隙間に吸収コアをコンパクトに収めることができる。着用者の臀部から股間にかけて吸収コアがフィットし、漏れをより抑制できる。
【００３２】
好ましい一態様によれば、前記第２仮想線の前記幅方向に対する角度は、前記変形基点部の前記幅方向に対する角度よりも小さくてよい。
【００３３】
本態様によれば、第２仮想線の幅方向に対する角度が小さいため、幅狭部の後端縁の幅方向の内側への移動をより抑制でき、後胴回り域における吸収コアの幅をより確保できる。また、変形基点部の幅方向に対する角度が比較的大きいため、第２仮想線によって挟まれた領域を部分的に変形させ、変形基点部よりも幅方向の外側の領域によって身体を覆うことができる。よって、吸収コアが広い面積で臀部を覆うことができ、漏れを抑制できる。
【００３４】
（２）使い捨ておむつの全体概略構成
以下、図面を参照して、実施形態に係る使い捨ておむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３５】
使い捨ておむつは、テープ型の使い捨ておむつであってもよいし、パンツ型の使い捨ておむつであってよい。図１は、本実施形態に係る使い捨ておむつ１０の肌面側から見た平面図であり、図２は、実施形態に係る吸収コアを肌面側から見た平面図である。図１及び図２に示す平面図は、伸長状態の使い捨ておむつを示している。図３は、図１に示す使い捨ておむつのＡ−Ａ断面に沿った模式断面図である。図４は、図１に示す使い捨ておむつのＢ−Ｂ断面に沿った模式断面図である。図５は、図１に示す使い捨ておむつのＣ−Ｃ断面に沿った模式断面図である。なお、本発明における伸長状態とは、使い捨ておむつ１０を皺が形成されない状態まで伸長させた状態である。また、本発明における自然状態とは、パッケージに収容されている使い捨ておむつ１０にあっては、パッケージから使い捨ておむつ１０を取り出し、２０℃±２℃、相対湿度６０％±５％ＲＨの雰囲気下において２４時間放置した状態である。
【００３６】
使い捨ておむつ１０は、互いに直交する前後方向Ｌ及び幅方向Ｗを有する。前後方向Ｌは、身体前側と身体後側とに延びる方向によって規定される。言い換えると、前後方向Ｌは、展開された使い捨ておむつ１０において前後に延びる方向である。また、使い捨ておむつ１０は、前後方向Ｌと幅方向Ｗの両方の直交する厚さ方向Ｔを有する。厚さ方向Ｔは、着用者側に向かう肌面側Ｔ１と、肌面側と反対側の非肌面側Ｔ２と、に延びる。
【００３７】
使い捨ておむつ１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域であり、装着時に身体（臀部）が載せられる領域を含む。股下域Ｓ３は、着用者の股下に位置し、前胴回り域Ｓ１と後胴回り域Ｓ２との間に配置された領域である。股下域Ｓ３は、着用者の脚回りに配置される脚回り開口部が設けられた領域である。脚回り開口部は、使い捨ておむつの外側縁から幅方向の内側に凹む部分である。
【００３８】
使い捨ておむつ１０は、吸収材料を含む吸収コア３１を含む。吸収コア３１は、粉砕パルプもしくは高吸収性ポリマー（ＳＡＰ）、又はこれらの混合物等の吸収材料を含む。吸収コア３１は、コアラップ３２によって覆われてよい。吸収コア３１とコアラップ３２によって吸収体３０が構成されてよい。コアラップ３２は、テッシュによって構成され、吸収コア３１の肌面側Ｔ１と吸収コアの非肌面側に配置されてよい。
【００３９】
図１及び図３に示すように、吸収コア３１を含む吸収体３０の肌面側Ｔ１には、表面シート２１及びサイドシート２２が設けられてよい。表面シート２１は、吸収体３０の幅方向Ｗの中心を跨いで配置されてよい。サイドシート２２は、表面シート２１及び吸収コア３１の外側部を覆うように一対で配置されてよい。表面シート２１及びサイドシート２２は、例えば不織布や開孔プラスチックフィルムのような透液性シートによって構成されていてよい。サイドシート２２の内側部は、折り返されて重なってよい。重なったサイドシート２２間には、前後方向Ｌに伸縮する防漏伸縮部４３が設けられてよい。防漏伸縮部４３は、前後方向Ｌに伸縮する糸ゴムによって構成されてよい。サイドシート２２と防漏伸縮部４３は、着用時に肌面側Ｔ１に起立する防漏ギャザー６０を構成する。
【００４０】
図１及び図３に示すように、防漏ギャザー６０は、防漏伸縮部４３の収縮によって起立する収縮部６１と、収縮部６１よりも幅方向Ｗの外側において収縮部の起立支点となる基点部６２と、を有する。基点部６２では、サイドシート２２が表面シート２１に接合されている。サイドシート２２は、基点部６２よりも幅方向の内側において表面シート２１に接合されてなく、表面シート２１に対して起立可能に構成されている。
【００４１】
吸収体３０の非肌面側Ｔ２には、裏面シート２３及び外装シート２４が設けられてよい。外装シート２４は、裏面シート２３の非肌面側Ｔ２に設けられてよい。裏面シート２３の幅方向Ｗの長さは、外装シート２４の幅方向Ｗの長さよりも短く、裏面シート２３の前後方向Ｌの長さは、外装シート２４の前後方向Ｌの長さよりも短い。裏面シート２３は、液不透過性のフィルムによって構成されてよい。外装シート２４は、液透過性の不織布によって構成されてよい。
【００４２】
後胴回り域の外側部には、ファスニングテープ９１が設けられている。ファスニングテープ９１は、ベース部９２と係合部９３を有する。ベース部９２は、厚さ方向Ｔにおいて外装シート２４及びサイドシート２２の間に配置され、幅方向Ｗにおいて外装シート２４及びサイドシート２２から外側に延出している。係合部９３は、ベース部９２上に配置されており、ターゲット部９５（図５参照）に係合する。ターゲット部９５は、前胴回り域Ｓ１において幅方向に間隔を空けて配置されており、ファスニングテープ９１がそれぞれ止着するように構成されている。
【００４３】
裏面シート２３と吸収体３０の間には、インジケータ５１が配置されてよい。インジケータ５１は、前後方向Ｌに延び、かつ幅方向Ｗに間隔を空けて配置されてよい。インジケータ５１は、後述する低坪量部３３の間に配置されている。インジケータ５１は、吸収体が体液を吸収することによって変色し、使い捨ておむつ１０の非肌面側Ｔ２から体液の吸収状態を把握できるように構成されている。
【００４４】
使い捨ておむつ１０は、吸収コア３１よりも幅方向の外側において前後方向に伸縮する脚回り伸縮部４２を有してよい。脚回り伸縮部４２は、サイドシート２２と裏面シート２３の間、及びサイドシート２２と外装シート２４の間に設けられてよい。脚回り伸縮部４２は、前後方向Ｌに伸縮する帯状の伸縮シートによって構成されている。脚回り伸縮部４２の収縮によって、着用時に使い捨ておむつ１０の脚回り開口部が脚回りにフィットする。
【００４５】
使い捨ておむつ１０は、後胴回り域において少なくとも幅方向に伸縮する腰回り伸縮部４５を有してよい。腰回り伸縮部４５は、使い捨ておむつの後端縁に沿って幅方向Ｗに延びる。腰回り伸縮部４５は、裏面シート２３と外装シート２４の間、表面シート２１と外装シート２４の間、及びサイドシート２２と外装シート２４の間に設けられてよい。腰回り伸縮部４５の後端縁は、使い捨ておむつの後端縁よりも前側に位置し、腰回り伸縮部４５の前端縁は、吸収コア３１の後端縁よりも前側に位置してよい。腰回り伸縮部４５は、吸収コア３１よりも幅方向Ｗの外側に延出してよい。腰回り伸縮部４５は、幅方向Ｗに伸縮する帯状の伸縮シートによって構成されている。
【００４６】
使い捨ておむつ１０は、股下域の吸収コア３１に重なる領域に設けられた一対の股下伸縮部４１を有してよい。股下伸縮部４１は、吸収コア３１よりも非肌面側に配置されている。股下伸縮部４１は、裏面シート２３と外装シート２４の間に設けられてよい。股下伸縮部４１は、前後方向Ｌに延び、かつ幅方向Ｗに間隔を空けて配置されている。股下伸縮部４１は、吸収コア３１の幅方向Ｗの中心に配置されてなく、吸収コア３１の幅方向Ｗの中心に対する両側にそれぞれ２本ずつ配置されている。よって、股下伸縮部４１の収縮によって、股下伸縮部４１と重なる領域の吸収コアが、吸収コアの幅方向の中心よりも身体側に引き上げられる。一対の股下伸縮部４１は、吸収コア３１の外側縁よりも幅方向の内側に位置してよい。一対の股下伸縮部４１間に位置する領域は、一対の股下伸縮部４１よりも幅方向の外側の領域に対して身体側に引き上げられる。よって、吸収コアの幅方向の中心が側部を基点として凸状に変形し、身体の股間に対するフィット性を確保できる。股下伸縮部４１は、吸収コア３１の幅方向Ｗの中心に対する一方側に配置された第１股下伸縮部４１１と、吸収コア３１の幅方向Ｗの中心に対する他方側に配置された第２股下伸縮部４１２と、を有してよい。第１股下伸縮部４１１及び第２股下伸縮部４１２は、幅方向Ｗに間隔を空けて配置された複数の弾性部材をそれぞれ有している。股下伸縮部４１は、前後方向Ｌに沿って配置された糸ゴムによって構成されている。なお、他の形態において、股下伸縮部４１は、前後方向に伸縮する帯状の伸縮シートによって構成されてよいし、１本の糸ゴムによって構成されていてもよいし、３本以上の糸ゴムによって構成されてもよい。また、本発明において重なっている状態とは、平面視にて一方の部材と他方の部材が重なっている状態であり、一方の部材の肌面側又は非肌面側に他方の部材が配置されている状態である。重なっている状態では、一方の部材と他方の部材が互いに接している状態のみならず、一方の部材と他方の部材の間に他の部材が介在している構成も含む。
【００４７】
股下伸縮部４１は、使い捨ておむつの前後方向の中心１０ＬＣを跨がってよい。股下伸縮部４１の収縮によって、使い捨ておむつの前後方向の中心１０ＬＣを身体側に引き上げることができる。特に、使用前に使い捨ておむつの肌面側どうしが向き合うように二つに折り畳まれた形態にあっては、折り畳みによる折り癖を引き上げることができる。
【００４８】
股下伸縮部４１の少なくとも一部は、後述する幅狭部３５において吸収コア３１の外側縁よりも幅方向Ｗの内側に位置する。股下伸縮部４１の少なくとも一部は、前後方向において幅狭部３５の範囲内に配置されている。股下伸縮部４１の後端縁４１Ｒは、幅狭部３５の後端縁３５Ｒよりも前側に配置されている。また、股下伸縮部４１の前端縁４１Ｆは、幅狭部３５の前端縁３５Ｆよりも後側に配置されてよい。吸収コア３１の股下伸縮部４１よりも幅方向Ｗの外側には、股下伸縮部４１の収縮力が作用し難い領域が設けられる。図３において、吸収コア３１において股下伸縮部４１よりも外側に位置するサイド領域Ｒ３１と、サイド領域Ｒ３１の間の中央領域Ｒ３２と、を示す。サイド領域Ｒ３１は、最も幅方向Ｗの外側に位置する股下伸縮部４１よりも幅方向Ｗの外側に位置する領域である。中央領域Ｒ３２は、股下伸縮部４１と重なる領域及び股下伸縮部４１よりも幅方向Ｗの内側に位置する領域を合わせた領域である。中央領域Ｒ３２は、股下伸縮部４１の収縮によって、サイド領域Ｒ３１に対して身体側に引き上げられる。着用時の吸収コア３１の変形態様については、後述にて詳細に説明する。
【００４９】
また、本発明における防漏伸縮部４３、脚回り伸縮部４２、腰回り伸縮部４５、及び股下伸縮部４１を含む伸縮部は、糸ゴムや伸縮性シートなどの弾性部材が伸縮可能な状態で配置された部分であり、伸縮しない状態で弾性部材が配置された部分を含まない。すなわち、伸縮部は、伸縮部を構成する弾性部材の有効長部分である。なお、他の形態において、股下伸縮部４１は、使い捨ておむつの前後方向の中心１０ＬＣを跨がってなく、中心１０ＬＣよりも前側のみに配置されていてもよいし、中心１０ＬＣよりも後側のみに配置されていてもよい。
【００５０】
（３）吸収コアの構成
次いで、図２を参照し、吸収コア３１の構成について詳細に説明する。吸収コア３１は、吸収コア３１の最大幅３１Ｍよりも幅方向の長さが短い幅狭部３５と、幅狭部３５の前後方向の外側に配置された幅広部と、を有する。幅狭部３５は、前後に配置された幅広部の間に配置されている。幅狭部３５の幅方向の長さは、前後方向Ｌの外側に向かって長くなっている。吸収コア３１の平面視の形状は、砂時計形状である。なお、吸収コア３１のみならず、コアラップを含んだ吸収体の形状が、砂時計形状であってもよい。
【００５１】
吸収コア３１は、周囲の領域よりも吸収材料の坪量が低い低坪量部３３を有してよい。低坪量部３３は、前後方向Ｌに沿って設けられている。低坪量部３３は、前後方向Ｌに延びていればよく、前後方向Ｌに対して平行であってもよいし、前後方向Ｌに対して９０度未満の角度で傾斜してもよい。
【００５２】
低坪量部３３は、周囲の吸収コア３１よりも吸収材料の坪量が低い部分であり、周囲の吸収コア３１よりも厚さが薄く、かつ剛性が低い。よって、低坪量部３３は、装着状態で変形基点となり易い。吸収コア３１には、着用状態で前後方向に延びる変形基点が形成され易い。低坪量部３３は、吸収材料の坪量が実質的に零の部分（設計上の坪量が０であるが、周囲の吸収材料が混入した部分を含む）であってもよいし、周囲よりも少ない坪量の吸収材料が配置された部分であってもよい。低坪量部３３は、幅方向Ｗに一定の長さを有するスリットであってもよいし、幅方向Ｗの長さが実施的に零である切り込みであってもよい。各低坪量部３３の幅方向Ｗの長さは、２ｍｍ以上１０ｍｍ以下であってよく、より好適には、吸収コア３１の厚さ以上、８ｍｍ以下でよい。低坪量部３３の幅方向の長さが吸収コア３１の厚さ以上であることにより、低坪量部３３を基点に吸収コア３１が厚さ方向に変形し易くなる。また、低坪量部３３の幅方向の長さが８ｍｍ以下であることにより、低坪量部の幅方向の長さが長いことによる吸収性能に対する不安感を抑制できる低坪量部３３の前後方向Ｌの長さは、３０ｍｍ以上１８０ｍｍ以下であってよい。
【００５３】
低坪量部３３は、幅方向Ｗに間隔を空けて一対で配置されている。低坪量部３３は、使い捨ておむつの幅方向の中心１０ＷＣの両側に、幅方向Ｗに間隔を空けて配置されてよい。低坪量部３３の前後方向の中心は、使い捨ておむつの前後方向の中心１０ＬＣよりも後側に配置されてよい。低坪量部３３の前端縁３３Ｆは、股下伸縮部４１の前端縁４１Ｆよりも前側に位置してよく、低坪量部３３の後端縁３３Ｒは、股下伸縮部４１の後端縁４１Ｒと一致又は後端縁４１Ｒよりも前側に位置してよい。低坪量部３３の外側縁は、股下伸縮部４１を構成する糸ゴムのうち幅方向の外側に位置する糸ゴムと幅方向において一致していてよく、低坪量部３３の内側縁は、股下伸縮部４１を構成する糸ゴムのうち幅方向の内側に位置する糸ゴムと幅方向において一致していてよい。
【００５４】
吸収コア３１は、周囲の領域よりも剛性が高い高剛性部７０を有してよい。高剛性部７０は、一対の股下伸縮部４１の間に配置された中央高剛性部７１と、股下伸縮部４１よりも後側に配置された後高剛性部７２と、股下伸縮部４１よりも前側に配置された前高剛性部７３と、を有してよい。中央高剛性部７１、後高剛性部７２及び前高剛性部７３は、それぞれ前後方向Ｌにおいて離間している。
【００５５】
高剛性部７０は、周囲の領域よりも曲げ剛性が高い領域である。高剛性部７０は、周囲の領域よりも目付が高い部分であってもよいし、吸収コア３１が厚さ方向に圧縮された部分であってもよい。本実施の形態の高剛性部７０は、吸収コア３１が圧縮された圧搾部が設けられた部分である。圧搾部は、少なくとも吸収コア３１を厚さ方向Ｔに圧搾することによって形成されていればよく、コアラップ３２等の他の部材と吸収コア３１とが圧搾されることによって形成されてもよい。
【００５６】
中央高剛性部７１は、一対の低坪量部３３間の領域に設けられている。中央高剛性部７１の前端縁７１Ｆは、低坪量部３３の前端縁３３Ｆと一致又は低坪量部３３の前端縁３３Ｆよりも後側に位置してよい。中央高剛性部７１の後端縁７１Ｒは、低坪量部３３の後端縁３３Ｒよりも前側に位置してよい。中央高剛性部７１の前後方向の中心は、低坪量部３３の前後方向中心よりも前側に配置されてよい。中央高剛性部７１は、幅方向Ｗにおいて、低坪量部３３と間隔を空けて配置されてよい。中央高剛性部７１は、使い捨ておむつの前後方向の中心１０ＬＣ及び使い捨ておむつの幅方向Ｗの中心１０ＷＣを跨がってよい。
【００５７】
股下伸縮部４１は、中央高剛性部７１の幅方向の中心よりも両側に位置し、中央高剛性部７１よりも後側に延出してよい。吸収コア３１は、中央高剛性部７１よりも後側において股下伸縮部４１が配置された第１領域Ｒ４１と、中央高剛性部７１と股下伸縮部４１が厚さ方向又は幅方向において重なった第２領域Ｒ４２と、股下伸縮部４１よりも前側において中央高剛性部７１が配置された第３領域Ｒ４３と、を有してよい。第１領域Ｒ４１と第２領域Ｒ４２は、前後方向Ｌにおいて隣接しており、第２領域Ｒ４２と第３領域Ｒ４３は、前後方向Ｌにおいて隣接している。第１領域Ｒ４１の後端縁は、股下伸縮部４１の後端縁４１Ｒと一致し、第１領域Ｒ４１の前端縁は、中央高剛性部７１の後端縁７１Ｒと一致する。第２領域Ｒ４２の後端縁は、第１領域Ｒ４１の前端縁と一致し、第２領域Ｒ４２の前端縁は、股下伸縮部４１の前端縁４１Ｆと一致する。第３領域Ｒ４３の後端縁は、第２領域Ｒ４２の前端縁と一致し、第３領域Ｒ４３の前端縁は、中央高剛性部７１の前端縁７１Ｆと一致する。
【００５８】
後高剛性部７２は、低坪量部３３よりも後側に配置されてよい。後高剛性部７２の外側縁は、後側に向かって幅方向Ｗの外側に延びてよい。後高剛性部７２の前端縁の幅方向Ｗの長さは、中央高剛性部７１の幅方向Ｗの長さよりも長くてよい。後高剛性部７２は、使い捨ておむつの幅方向Ｗの中心１０ＷＣを跨がってよい。
【００５９】
前高剛性部７３は、低坪量部３３よりも前側に配置されてよい。前高剛性部７３は、使い捨ておむつの幅方向Ｗの中心１０ＷＣの両側に、幅方向Ｗに間隔を空けて配置されてよい。前高剛性部７３の前端縁は、幅方向Ｗの外側に向かって前側に延びてよい。
【００６０】
吸収コア３１には、股下伸縮部４１よりも後側に設けられた一対の変形基点部８５を有してよい。変形基点部８５は、股下伸縮部４１よりも後側において、後側に向かって幅方向Ｗの外側に向かって延び、かつ幅方向Ｗに間隔を空けて一対で配置されている。変形基点部８５は、吸収コア３１が厚さ方向に変形する基点となる。本実施の形態の変形基点部８５は、後高剛性部７２の外側部７２Ｓによって構成されている。変形基点部８５は、変形基点の縁となる基点縁８５Ｅを有する。基点縁は、吸収コア３１の厚さの折れ線が形成される縁である。本実施の形態の基点縁８５Ｅは、後高剛性部７２の外側縁７２Ｅである。本実施の形態の変形基点部８５は、基点縁８５Ｅから吸収コア３１の厚さ分まで幅方向Ｗの内側に延びる領域を含んでいる。
【００６１】
ここで、本発明における外側部とは、幅方向Ｗにおける外側の縁を含む幅方向Ｗに一定の範囲を占める部分であり、外側縁とは、幅方向Ｗにおける外側の縁である。また、内側部とは、幅方向Ｗにおける内側の縁を含む幅方向Ｗに一定の範囲を占める部分であり、内側縁とは、幅方向Ｗにおける内側の縁である。なお、変形基点部８５は、吸収コア３１が厚さ方向に変形する基点となればよく、圧搾部による高剛性部の外側部に限定されない。他の態様における変形基点部については、後述にて説明する。
【００６２】
（４）使い捨ておむつの装着時の変形態様
次いで、図６から図８に基づいて、使い捨ておむつ１０の装着時の変形態様について説明する。図６は、使い捨ておむつのＡ−Ａ断面における装着状態を模式的に示した図である。図７は、実施形態に係る使い捨ておむつの装着状態を模式的に示した図であり、寝た状態の着用者を正面側から視認した図である。図８は、着用時の吸収コアの変形態様を説明するための図であり、吸収コアの平面を示している。図９における実線は、変形前の吸収コア３１及び股下伸縮部４１を示しており、二点鎖線は、変形後の吸収コア３１及び股下伸縮部４１を示している。図７では、説明の便宜上、吸収コア３１、股下伸縮部４１及び腰回り伸縮部４５のみを示し、その他の部材は省略して示している。図９は、使い捨ておむつのＢ−Ｂ断面における装着時の吸収体の変形態様を説明するための図である。なお、図６に示すラインＢＬは、着用者の身体のラインを示している。
【００６３】
股下域Ｓ３の吸収コア３１は、股下伸縮部４１の収縮によって身体側に引き上げられる。一対の股下伸縮部４１が幅方向Ｗの中心の両外側に位置しており、股下伸縮部４１の収縮によって股下伸縮部４１と重なる部位が引き上げられ、左右の股下伸縮部４１によって挟まれた領域は、身体に沿うような平坦な形状を維持しつつ引き上げられる。一対の股下伸縮部４１は、吸収コア３１の外側縁３１Ｅよりも幅方向の内側に位置し、一対の股下伸縮部４１間に位置する中央領域Ｒ３２は、サイド領域Ｒ３１に対して身体側に引き上げられる。よって、吸収コアの幅方向の中心が側部を基点として凸状に変形し、身体の股間に対するフィット性を確保できる。また、中央領域Ｒ３２が身体側に引き上げられると、幅狭部３５と股下伸縮部４１が幅方向に重なる領域において幅狭部３５が幅方向の内側に引っ張られ、股下伸縮部４１の後端縁４１Ｒと幅狭部３５の後端縁３５Ｒを繋ぐ第１折れ線ＦＬ１が形成される。図２に示すように、第１折れ線ＦＬ１は、股下伸縮部４１の後端縁４１Ｒから幅方向の両側に位置する吸収コア３１の外側縁３１Ｅに到達している。本実施の形態のように股下伸縮部４１が複数の弾性部材によって構成されている場合には、第１折り線ＦＬ１は、幅方向の外側に位置する弾性部材の後端縁と幅狭部３５の後端縁３５Ｒを繋ぐように形成され易い。一対の股下伸縮部４１による変形は、これらの第１折れ線ＦＬ１に沿って吸収コア３１の外側縁３１Ｅに導かれ、股下伸縮部４１による変形が後胴回り域側に伝達することを抑制できる。臀部に対するフィット性を確保し、後漏れを抑制できる。
【００６４】
加えて、第１折れ線ＦＬ１が形成されることにより、第１折れ線ＦＬ１の距離が短くなるような変形を抑制し、幅狭部３５の後端縁３５Ｒが幅方向の内側に移動する力に対して対向する。よって、幅狭部３５の後端縁３５Ｒが幅方向Ｗの内側に移動し難く、後胴回り域Ｓ２における吸収コア３１の幅を確保できる。よって、吸収コアによって広い面積で臀部を覆うことができ、漏れを抑制できる。
【００６５】
股下伸縮部４１の前端縁４１Ｆは、幅狭部３５の前端縁３５Ｆよりも後側に配置されてよい。中央領域Ｒ３２がサイド領域Ｒ３１に対して着用者側に引き上げられ、吸収コア３１が凸状に変形すると、股下伸縮部４１の前端縁４１Ｆと幅狭部３５の前端縁３５Ｆを繋ぐ第２折れ線ＦＬ２も形成される。図２に示すように、第２折れ線ＦＬ２も、股下伸縮部４１の前端縁４１Ｆから幅方向の両側に位置する吸収コア３１の外側縁３１Ｅに到達している。本実施の形態のように股下伸縮部４１が複数の弾性部材によって構成されている場合には、第２折り線ＦＬ２は、幅方向の外側に位置する弾性部材の前端縁と幅狭部３５の前端縁３５Ｆを繋ぐように形成され易い。股下伸縮部４１による変形が前胴回り域Ｓ１側に伝達することを抑制できる。腹部に対するフィット性を確保し、前漏れを抑制できる。
【００６６】
また、幅狭部３５の前端縁３５Ｆが幅方向Ｗの内側に移動する力に対して第２折れ線ＦＬ２が対向し、前胴回り域Ｓ１における吸収コア３１の幅を確保できる。よって、吸収コア３１によって広い面積で腹部を覆うことができ、漏れをより抑制できる。
【００６７】
股下伸縮部４１と吸収コア３１の外側縁３１Ｅとの距離Ｗ１１は、吸収コア３１の外側縁３１Ｅ間の長さＷ１２に対する１／４以上であってよい。ここでいう吸収コア３１の外側縁３１Ｅとは、股下伸縮部４１から幅方向Ｗに延びる領域内における外側縁である。すなわち、股下伸縮部４１を通り、かつ幅方向Ｗに延びる任意の直線上において、Ｗ１１×４＞Ｗ１２を満たしていればよい。
【００６８】
股下伸縮部４１を基点として身体側に凸状に変形すると、股下伸縮部４１よりも幅方向Ｗの外側の領域は、凸状の変形を支持する領域となる。股下伸縮部４１よりも幅方向Ｗの外側のサイド領域Ｒ３１は、吸収コア３１の幅方向の全域に対する１／４以上であるため、凸状の変形を安定して支持し、凸形状を維持し易くなる。また、股下伸縮部４１よりも幅方向の外側の領域の剛性が高くなることにより、吸収コア３１の幅狭部３５が凸状に変形し過ぎず、吸収コア３１によって身体を覆う面積を確保できる。吸収コアによって広い面積で身体を覆うことにより、漏れをより抑制できる。
【００６９】
図３に示すように、使い捨ておむつの伸長状態において、収縮部６１の頂点と基点部６２との幅方向の距離Ｗ２１は、幅狭部３５における吸収コア３１の外側縁と股下伸縮部４１との幅方向の距離Ｗ２２よりも長くてよい。ここで、収縮部６１の頂点は、サイドシート２２の内側縁である。また、幅狭部３５の幅方向の長さが変化する構成にあっては、幅狭部３５及び股下伸縮部４１を通り、かつ幅方向Ｗに延びる任意の直線上において、Ｗ２１＞Ｗ２２を満たしていればよい。
【００７０】
防漏ギャザー６０は、防漏伸縮部４３の収縮によって収縮部６１を頂点として着用者側に起立する。起立時の防漏ギャザー６０の起立部の最大高さは、収縮部６１の頂点と基点部６２との幅方向の距離Ｗ２１となる。また、幅狭部３５が設けられた領域における凸状の変形の最大高さは、幅狭部３５の外側縁と股下伸縮部４１との距離Ｗ２２となる。距離Ｗ２１が距離Ｗ２２よりも長いため、凸状の変形の高さよりも防漏ギャザー６０の高さが高くなり、防漏ギャザー６０によって横漏れを抑制できる。
【００７１】
第１股下伸縮部４１１の弾性部材間の距離及び第２股下伸縮部４１２の弾性部材間の距離は、吸収コアの厚さに対する３倍以下であってよい。ここで、吸収コア３１の厚さは、吸収コアの最大厚さである。第１股下伸縮部４１１の弾性部材間の距離及び第２股下伸縮部４１２の弾性部材間の距離は、本実施の形態においては、２本の糸ゴム間の距離である。第１股下伸縮部４１１及び第２股下伸縮部４１２がそれぞれ複数の弾性部材を有することにより、吸収コアを引き上げる力が強くなり、吸収コアの凸形状をより維持し易い。第１股下伸縮部４１１の弾性部材間の距離及び第２股下伸縮部４１２の弾性部材間の距離が吸収コアの厚さに対する３倍よりも離れていると、各弾性部材が独立して吸収コアを引き上げ、弾性部材が一体化して吸収コアを引き上げにくいことがある。弾性部材間の距離が吸収コア３１の厚さに対する３倍以下であるため、第１股下伸縮部４１１の複数の弾性部材が一体化して吸収コアを引き上げるとともに、第２股下伸縮部４１２の複数の弾性部材が一体化して吸収コアを引き上げることができる。よって、吸収コア３１の凸形状をより形成し易くなる。
【００７２】
股下域Ｓ３の吸収コア３１には、一対の股下伸縮部４１間において周囲の領域よりも剛性が高い高剛性部が設けられてよい。高剛性部は、吸収コア３１の幅方向の中心を跨いでよい。高剛性部によって剛性が高められ、吸収コアが身体に沿うような面形状になり易い。一対の股下伸縮部４１間の領域が凸状に変形し過ぎず、吸収コア３１によって身体を覆う面積を確保できる。また、吸収コア３１の幅方向の中心を跨がって高剛性部が設けられているため、身体の排泄口に対して吸収コアを沿わせて配置し、体液の引き込み性を高め、漏れを抑制できる
【００７３】
なお、高剛性部は、中央高剛性部７１であってもよいし、格子状に配置された図示しない格子圧搾部であってもよい。格子圧搾部は、少なくとも吸収コアを厚さ方向に圧縮して形成されてよく、一対の股下伸縮部４１間の領域のみならず、吸収コアの全面に形成されていてもよい。
【００７４】
腰回り伸縮部４５は、幅狭部３５よりも後側かつ股下伸縮部４１よりも幅方向Ｗの外側において吸収コア３１に重なる領域Ｒ１１に配置されてよい。幅狭部３５の後端縁３５Ｒには、上述のように、股下伸縮部４１の後端縁４１Ｒから延びる第１折れ線ＦＬ１が到達する。第１折れ線ＦＬ１は、幅狭部３５の後端縁３５Ｒが幅方向Ｗの内側に移動する力に対して対向し、幅狭部３５の後端縁３５Ｒが幅方向Ｗの内側に移動し難くなる。
【００７５】
図８に示すように、腰回り伸縮部４５と重なる領域の吸収コア３１は、腰回り伸縮部４５の収縮によって幅方向Ｗの長さが短くなる。このとき、幅狭部３５よりも後側かつ股下伸縮部４１よりも幅方向の外側の領域Ｒ１１は、腰回り伸縮部４５の収縮によって幅狭部３５の後端縁３５Ｒを基点に幅方向Ｗの内側に変形し易い。このとき、幅狭部３５の後端縁３５Ｒは、変形基点となり、幅方向Ｗの内側に移動しにくい。股下伸縮部４１よりも後側に位置する幅狭部３５の後端縁３５Ｒが幅方向Ｗの内側により移動し難くなり、後胴回り域Ｓ２における吸収コア３１の幅方向Ｗの長さをより確保し易く、後漏れを抑制できる。
【００７６】
図８に示すように、腰回り伸縮部４５は、第１領域４５１と、第１領域４５１よりも幅方向の伸長率が高い第２領域４５２と、を有し、股下伸縮部４１の後端縁４１Ｒから後側に延びる第１延長線ＥＬ１上には、第１領域４５１が配置されてよい。第２領域４５２は、使い捨ておむつの幅方向の中心を跨がる領域と、腰回り伸縮部４５の外側部と、に設けられている。第１領域４５１は、第２領域４５２によって挟まれている。腰回り伸縮部４５の第１領域４５１と第２領域４５２は、幅方向の伸長率が異なる。第１領域４５１は、伸長率が低く、第２領域４５２よりも収縮し難い。第１延長線ＥＬ１上に第１領域４５１が設けられているため、股下伸縮部４１の収縮によって凸状に変形する領域は、腰回り伸縮部４５の収縮によって幅方向に縮まりにくく、凸状の変形状態を維持しやすい。なお、股下伸縮部４１を構成する弾性部材が複数設けられた形態にあっては、少なくともいずれかの弾性部材の第１延長線ＥＬ１上に第１領域４５１が配置されていればよい。
【００７７】
また、腰回り伸縮部４５の伸長率は、製造時の伸長倍率を異ならせたり、弾性部材の配置本数を異ならせたりすることによって調整できる。また、腰回り伸縮部４５を幅方向Ｗにおいてギアによって延伸加工する形態にあっては、かかるギアによって延伸する際に、伸長率を低くする領域（例えば、第１領域４５１）のギア延伸を弱くする。伸長率を高くする領域（例えば、第２領域４５２）のギア延伸を強くする。ギア延伸の強弱は、ギアの凸部の深さやギアの凸部のピッチやギア延伸の回数を変更することにより、調整することができる。強く延伸された領域の伸長率は、比較的高くなり、弱く延伸された領域の伸長率は、比較的低くなる。
【００７８】
股下伸縮部４１よりも幅方向の外側に位置する領域（図８に示すサイド領域Ｒ３１）から後側に延びる第２延長線ＥＬ２上には、第２領域４５２が配置されてよい。第２延長線ＥＬ２は、サイド領域Ｒ３１から後側に延びる線であり、幅方向の位置が異なる位置に複数設けられる。いずれかの第２延長線ＥＬ２上に第２領域４５２が配置されていればよい。股下伸縮部よりも幅方向の外側の領域において吸収コア３１が、幅狭部３５の後端縁３５Ｒを基点に幅方向の内側により変形し易くなる。股下伸縮部４１よりも後側に位置する幅狭部３５の後端縁３５Ｒが幅方向Ｗの内側により移動し難くなり、後胴回り域Ｓ２における吸収コア３１の幅方向Ｗの長さをより確保し易く、後漏れを抑制できる。
【００７９】
ファスニングテープ９１の係合部９３の内側縁における前端縁と股下伸縮部４１の後端縁４１Ｒとを繋ぐ第１仮想線ＶＬ１上には、脚回り伸縮部４２が配置されてよい。テープ型の使い捨ておむつ１０を装着する際は、まず、使い捨ておむつ１０を展開した状態で使い捨ておむつ１０の後胴回り域Ｓ２に着用者の臀部を載せる。そして、着用者の両脚の間に使い捨ておむつ１０を通し、股下域側におむつを引っ張り、股下域によって身体を覆う。そして、ファスニングテープ９１の係合部９３を前胴回り域Ｓ１に止着する。
【００８０】
図１に示すように、係合部９３の内側縁における前端縁と股下伸縮部の後端縁とを繋ぐ第１仮想線ＶＬ１には、装着時にファスニングテープ９１が引っ張られた際に幅方向の外側に引っ張られる力が作用する。装着時の操作によって股下伸縮部４１の後端縁４１Ｒが幅方向Ｗの外側に引っ張られ、股下伸縮部４１によって身体側に凸状に変形した吸収コア３１も幅方向の外側に引っ張られる。よって、吸収コア３１の凸状に変形が幅方向の内側に倒れることを抑制し、身体側に凸状の変形状態を維持しやすい。また、第１仮想線ＶＬ１上に脚回り伸縮部４２が配置されており、装着時に脚回り伸縮部４２も引き上げることができる。よって、股間の排泄口に対するフィット性と、脚回りに対するフィット性と、を向上させることができ、漏れをより抑制できる。
【００８１】
股下伸縮部４１よりも後側の吸収コア３１には、一対の変形基点部８５が設けられてよい。装着時において、着用者の両脚の間に使い捨ておむつ１０を通し、股下域側におむつを引っ張った際に、吸収コア３１は、変形基点部８５を基点に変形し易い。変形基点部８５は、股下域に位置する股下伸縮部４１よりも後側に設けられており、股下伸縮部４１よりも後側に吸収コア３１の変形基点が形成される。変形基点部８５は、後側に向かって幅方向Ｗの外側に向かって延びており、吸収コア３１には、後胴回り域から股下域に向かって幅方向Ｗの内側に延びる変形基点が形成される。
【００８２】
よって、後胴回り域に臀部を載せ、股下域側におむつを引っ張った際に、吸収体は、後胴回り域から股下域に向かって幅方向Ｗの内側に延びる基点によって変形する。具体的には、変形基点部８５が設けられている領域の吸収体は、図９に示すように、後高剛性部７２の外側縁７２Ｅ（変形基点部８５の基点縁８５Ｅ）を基点として変形し、外側縁７２Ｅよりも幅方向Ｗの内側の領域が、外側縁７２Ｅよりも幅方向Ｗの外側の領域よりも肌面側に配置される。外側縁７２Ｅよりも幅方向Ｗの内側の領域が、外側縁７２Ｅよりも幅方向Ｗの外側の領域よりも肌面側に配置される要因としては、股下伸縮部４１の収縮によって吸収コア３１の幅方向Ｗの中央が身体側に引き上げられること、装着者がおむつを引っ張る際には一般的に吸収コア３１の幅方向Ｗの中央に力をかけるため、及び装着時に吸収性物品の外側部（例えば脚回り開口部近傍）が脚に引っ掛かった状態で吸収コア３１の幅方向Ｗの中央が引き上げられるためである。吸収コア３１は、変形基点部８５を基点に変形することにより、股下域側に向かって幅方向Ｗの長さが短くなるように変形する。
【００８３】
図６及び図７に示すように、変形基点部８５よりも前側に位置する吸収コア３１は、一対の股下伸縮部４１の収縮によって身体側に凸状に変形し、中央領域Ｒ３２がサイド領域Ｒ３１に対して立ち上がる。よって、股下域の吸収コア３１が身体側に沿って配置され、着用者の股間に吸収コア３１を適切に収めることができる。
【００８４】
着用者の臀部に対して吸収コア３１を広い面積で覆いつつ、着用者の両足間の隙間に吸収コア３１をコンパクトに収めることができる。着用者の股間の適切な位置に使い捨ておむつを配置することにより、着用者の腹部を覆う位置まで前胴回り域を引っ張ることができる。テープ型の使い捨ておむつにおいて、着用者の身体を適切に覆うことができ、漏れを抑制できる。
【００８５】
図１に示すように、変形基点部８５は、股下伸縮部４１の後端縁４１Ｒと幅狭部３５の後端縁３５Ｒを繋ぐ第２仮想線ＶＬ２よりも幅方向の内側に配置されてよい。股下伸縮部の後端縁と幅狭部の後端縁を繋ぐ第２仮想線ＶＬ２は、第１折れ線ＦＬ１が形成される線であり、幅狭部３５の後端縁３５Ｒが幅方向の内側に移動する力に対向する線となる。第１折れ線ＦＬ１によって挟まれた領域は、身体を覆うように配置される。第１折れ線ＦＬ１によって挟まれた領域内における股下伸縮部４１よりも後側では、変形基点部８５によって吸収コア３１が変形する。変形基点部８５は、後側に向かって幅方向の外側に向かって延びており、吸収コア３１には、後胴回り域Ｓ２から股下域Ｓ３に向かって幅方向の内側に延びる変形基点が形成され、股下域側に向かって幅方向Ｗの長さが短くなるように変形する。着用者の臀部から股間にかけて吸収コアがフィットし、漏れをより抑制できる。
【００８６】
第２仮想線ＶＬ２の幅方向に対する角度αは、変形基点部８５の幅方向に対する角度βよりも小さくてよい。第２仮想線ＶＬ２の幅方向に対する角度αが小さいため、幅狭部３５の後端縁３５Ｒの幅方向の内側への移動をより抑制でき、後胴回り域Ｓ２における吸収コア３１の幅をより確保できる。また、変形基点部８５の幅方向に対する角度βが比較的大きいため、第２仮想線ＶＬ２によって挟まれた領域を部分的に変形させ、変形基点部８５よりも幅方向の外側の領域によって身体を覆うことができる。よって、吸収コアが広い面積で臀部を覆うことができ、漏れを抑制できる。
【００８７】
股下伸縮部４１の外側縁は、変形基点部８５の外側縁よりも幅方向Ｗの外側に配置されてよい。しかし、より好適には、股下伸縮部４１の外側縁は、変形基点部８５の外側縁よりも幅方向Ｗの内側に配置されてよい。このような構成によれば、変形基点部８５を基点とした吸収コア３１の変形と、股下伸縮部４１による吸収コア３１の変形と、がより連動しやすくなる。よって、後胴回り域から股下域側に向かって幅方向Ｗの長さが短くなるように変形した吸収コア３１を、股下域において身体側に近づけてより配置し易くなる。なお、股下伸縮部４１の外側縁は、股下伸縮部４１を構成する弾性部材のうち最も幅方向Ｗの外側に位置する弾性部材の外側縁である。本実施の形態の股下伸縮部４１を構成する糸ゴムは、前後方向に沿って配置されており、幅方向Ｗの外側に位置する弾性部材が、股下伸縮部４１の外側縁を構成する。
【００８８】
変形基点部８５と、股下伸縮部４１は、幅方向Ｗにずれていてもよい。しかし、より好適には、変形基点部８５の少なくとも一部は、股下伸縮部４１の後端縁から後側に延びる第１延長線ＥＬ１上に配置されてよい。変形基点部８５を基点とした吸収コア３１の変形と、股下伸縮部４１による吸収コア３１の変形と、がより連動しやすくなる。よって、後胴回り域から股下域側に向かって幅方向Ｗの長さが短くなるように変形した吸収コア３１を、股下域において身体側に近づけてより配置し易くなる。なお、股下伸縮部４１を構成する弾性部材が複数設けられた形態にあっては、少なくともいずれかの弾性部材の第１延長線ＥＬ１上に変形基点部８５が配置されていればよい。
【００８９】
変形基点部８５は、使い捨ておむつの前後方向の中心１０ＬＣと係合部９３の前端縁との前後方向Ｌの中間に位置する第１中間線ＭＬ１を前後方向Ｌに跨がってよい。図１に示すように、第１中間線ＭＬ１は、使い捨ておむつの前後方向の中心１０ＬＣと係合部９３の前端縁との前後方向の中心を通り、かつ幅方向Ｗに延びる線である。第１中間線ＭＬ１よりも後側は、一般的に装着時に臀部が載せられる領域である。変形基点部８５は、第１中間線ＭＬ１を前後方向に跨がっており、着用者の臀部が載せられる領域から臀部が載せられない領域にかけて配置される。装着時に、第１中間線ＭＬ１よりも後側の領域が臀部によって押さえられた状態で、臀部が載せられていない領域が前側に引っ張られ、変形基点部８５を基点として吸収コア３１がより変形し易い。よって、吸収コア３１の幅が短くなるように吸収コア３１を変形させ、着用者の股間の適切な位置に使い捨ておむつを配置し、着用者の身体を適切に覆うことができる。
【００９０】
また、股下伸縮部４１の後端縁４１Ｒは、第１中間線ＭＬ１よりも前側に配置されてよい。股下伸縮部４１の後端縁４１Ｒは、着用者の臀部が載せられない領域に配置される。装着時には、第１中間線ＭＬ１よりも後側の領域が臀部によって押さえられた状態で、臀部が載せられていない領域が前側に引っ張られ、股下伸縮部４１がより伸長し易い。よって、股下伸縮部４１が配置された領域が身体に対してより引き上げられ易く、着用者の股間に吸収コア３１を適切により収めることができる。
【００９１】
また、変形例において、股下伸縮部４１の後端縁４１Ｒは、第１中間線ＭＬ１よりも後側に位置してよい。装着時には、股下伸縮部４１の後端縁４１Ｒが臀部によって押さえられた状態で、股下伸縮部４１の前端縁４１Ｆ側が前側に引っ張られ、股下伸縮部４１が伸長し易い。よって、股下伸縮部４１が配置された領域が身体に対して引き上げ、着用者の股間に吸収コアを適切により収めることができる。
【００９２】
変形基点部８５の前端縁は、変形基点部８５の後端縁と股下伸縮部４１の後端縁との前後方向の中間に位置する第２中間線ＭＬ２よりも前側に配置されてよい。図１に示すように、第２中間線ＭＬ２は、変形基点部８５の後端縁と股下伸縮部４１の後端縁４１Ｒとの前後方向の中間を通り、かつ幅方向Ｗに延びる線である。変形基点部８５の後端縁と股下伸縮部４１の後端縁の間の領域のうち、半分以上の領域に亘って変形基点部８５が設けられている。よって、変形基点部８５を基点とした吸収コア３１の変形と、股下伸縮部４１による吸収コア３１の変形と、が連動しやすい。よって、後胴回り域Ｓ２から股下域Ｓ３にかけて吸収コア３１を身体に沿った形状に変形させ易くなり、臀部を覆いつつ股下域にコンパクトに吸収コア３１を配置することができる。着用者の股間の適切な位置に使い捨ておむつを配置し、着用者の身体を適切に覆うことができる。
【００９３】
一対の変形基点部８５の間には、変形基点部８５よりも幅方向Ｗの外側の領域よりも剛性が高い高剛性部が設けられてよい。本実施の形態では、後高剛性部の外側部が変形基点部８５を構成し、後高剛性部の外側部間の領域が、本構成の高剛性部を構成する。変形基点部８５間に高剛性部が設けられていることにより、変形基点部８５よりも幅方向Ｗの外側の領域と変形基点部８５よりも内側の領域との剛性差が生じ、変形基点部８５を基点として吸収コア３１がより変形し易くなる。よって、股下域側に向かって幅方向Ｗの長さが短くなるように吸収コア３１が変形し易くなり、着用者の股間に吸収コア３１をより収めやすくなる。着用者の股間の適切な位置に使い捨ておむつを配置することにより、着用者の身体を適切に覆うことができる。なお、剛性が比較的低い変形基点部（例えば、低坪量部からなる変形基点部）にあっては、一対の変形基点部８５の間の高剛性部の剛性が、変形基点部の剛性よりも高くてよい。
【００９４】
一対の変形基点部８５の間の高剛性部は、変形基点部８５と幅方向Ｗにおいて隣接していてもよい。変形基点部８５よりも幅方向Ｗの外側の領域が、変形基点部８５間の領域に対して変形し易くなり、剛性差によって吸収コア３１がより変形し易くなる。また、一対の変形基点部８５が高剛性部によって一体化する。変形基点部８５と高剛性部が一体化して着用者側に凸状に変形し易くなり、着用者の股間に吸収コア３１をより収めやすくなる。
【００９５】
本実施の形態の変形基点部８５及び変形基点部８５間の高剛性部は、いずれも圧搾部からなる後高剛性部によって構成されている。このように、変形基点部８５及高剛性部が、一体として形成されていてもよく、変形基点部８５及高剛性部の境界が形成されていなくてよい。後高剛性部全体が変形基点部８５としての機能、及び高剛性部としての機能を発揮してよい。また、圧搾部からなる変形基点部８５は、剛性が高く、吸収コア３１の変形をより安定し易くなる。
【００９６】
一対の変形基点部８５は、使い捨ておむつの幅方向Ｗの中心を挟んで配置されており、変形基点部８５の少なくとも一部は、吸収コア３１の幅方向Ｗの中心と吸収コア３１の最大幅との中間に位置する第３中間線ＭＬ３よりも幅方向Ｗの外側に配置されてよい。図１に示すように、第３中間線ＭＬ３は、吸収コア３１の幅方向Ｗの中心と吸収コア３１の最大幅との中心を通り、かつ前後方向に延びる線である。吸収コア３１の幅方向Ｗの半分以上の領域において、吸収コア３１が変形基点部８５を基点に変形し易くなる。吸収コア３１の広い範囲で股下域側に向かって幅方向Ｗの長さが短くなるように吸収コア３１が変形し易くなり、着用者の股間に吸収コア３１をより収めやすくなる。
【００９７】
変形基点部８５から幅方向Ｗの外側に延びる第３延長線ＥＬ３上に、脚回り伸縮部４２が配置されてよい。第３延長線ＥＬ３は、変形基点部８５の任意の位置から幅方向Ｗの外側に延びる線であり、前後方向の位置が異なる位置に複数設けられる。いずれかの第３延長線ＥＬ３上に、脚回り伸縮部４２の少なくとも一部が配置されていればよい。後胴回り域に臀部を載せ、股下域側におむつを引っ張る際に、後胴回り域が臀部によって押さえられるとともに、吸収コア３１よりも幅方向Ｗの外側の領域が脚に密着する。脚回り伸縮部と臀部とが身体にフィットした状態で吸収コア３１が変形するため、臀部よりも前側において中央領域Ｒ３２がサイド領域Ｒ３１に対して立ち上がり易くなり、吸収コア３１が変形基点部８５を基点としてより変形し易くなる。
【００９８】
また、股下伸縮部４１から幅方向Ｗの外側に延びる延長線上に脚回り伸縮部４２配置されてもよい。脚回り伸縮部が身体にフィットした状態で吸収コア３１が変形することにより、中央領域Ｒ３２がサイド領域Ｒ３１に対してより立ち上がり易くなる。股下伸縮部４１の収縮によって吸収コア３１がより着用者側に引き上げられ易くなる。
【００９９】
脚回り伸縮部４２は、後側に向かって幅方向Ｗの外側に向かって延びてよい。後側に向かって幅方向Ｗの外側に向かって延びる脚回り伸縮部が身体に密着することにより、着用者の臀部を使い捨ておむつで覆うことができる。後側に向かって広い範囲で臀部を覆った状態で、股下域に向けて吸収コア３１の幅方向Ｗの長さが短くなるように吸収コア３１を変形できる。着用者の股間に吸収コア３１を適切に収めつつ、使い捨ておむつによって身体全体を覆い、漏れを抑制できる。
【０１００】
吸収コア３１よりも幅方向Ｗの外側において、後側に向かって幅方向Ｗの外側に向かって延びるサイドフラップ部２７を有し、サイドフラップ部２７は、第２延長線ＥＬ２上に配置されてよい。サイドフラップ部２７は、使い捨ておむつの外側部において後側に向かって幅方向Ｗの外側に向かって延びる部分であり、図１において斜線を付して示した部分である。後胴回り域に臀部を載せ、股下域側におむつを引っ張る際に、後胴回り域が臀部によって押さえられるとともに、吸収コア３１よりも幅方向Ｗの外側のサイドフラップ部が脚に当たり易くなる。よって、吸収コア３１は、幅方向Ｗの外側に位置するサイドフラップ部と、臀部が載せられた領域と、が押さえられた状態で変形し、変形基点部８５を基点としてより変形し易くなる。
【０１０１】
股下伸縮部４１と重なる領域に低坪量部３３が配置されていてもよい。吸収コア３１は、着用時に前後方向に延びる低坪量部を基点に変形する。よって、股下伸縮部４１の収縮によって吸収コア３１が身体側に凸状により変形し易くなり、着用者の股間に吸収コア３１を適切に収めることができる。吸収コア３１の変形基点となる低坪量部３３は、周囲の領域よりも坪量が低く、体液を吸収した後も厚さを抑えることができ、変形状態を維持できる。
【０１０２】
本明細書における「吸収コアの坪量」の測定は、以下の測定方法によって行われるものとする。使い捨ておむつ１０がパッケージなどに封入されている場合には、パッケージから取り出し、その状態にて20℃±2℃、相対湿度60％±5％RHの雰囲気下において12時間放置したサンプルを用いる。包装シート等によって包装された使い捨ておむつにおいては包装シートを開封し、折り畳まれた使い捨ておむつを展開する。次いで、坪量を測定する部分を使い捨ておむつから切り出し、切り出した部分から表面シート等、吸収コア以外の部分を取り除く。そして、吸収コアの坪量を測定する部分の面積及び重量を測定する。重量と面積とに基づいて坪量を算出する。
【０１０３】
本明細書における「曲げ剛性」は、ガーレー剛軟度によって測定された値であってもよい。ガーレー剛軟度の測定は、(株)安田精機製作所製のＮｏ３１１のガーレー式柔軟度試験機を用いて、ＪＩＳ−Ｌ１０９６に準拠して測定することが可能である。ガーレー剛軟度の測定のサンプルの幅方向Ｗの長さは、30ｍｍ、前後方向の長さは、25ｍｍとすることができる。
【０１０４】
本明細書における「伸長率」は、伸長の程度を意味し、以下の測定方法によって行われるものとする。第１に、使い捨ておむつがパッケージ等に封入されている場合には、パッケージから使い捨ておむつを取り出す。第２に、腰回り伸縮部を構成する伸縮性シート等の配置領域を切り出して、測定対象のサンプルを準備する。かかるサンプルを、２０℃±２℃、相対湿度６０％±５％ＲＨの雰囲気下において２４時間放置した状態を「自然状態」とする。
【０１０５】
第３に、かかる自然状態にて、腰回り伸縮部の吸収コア側の端部（前側端部）と腰回り伸縮部のウエスト開口部側の端部（後側端部）との間、すなわち、前後方向Ｌの中間位置において、幅方向Ｗに沿って間欠的に点（印）を付ける。かかる点は、腰回り伸縮部の幅方向Ｗの中心を基準として、かかる基準から幅方向Ｗの左右に５ｍｍ間隔にて腰回り伸縮部のサンプルの幅方向Ｗの端部まで点（印）を付ける。第４に、隣り合う点の間の距離を測定する。かかる距離を自然状態の長さとする（５ｍｍ間隔にて印を付けているので、５ｍｍとなる）。第５に、自然状態から、弾性部材による皺が伸縮性シート上に目視にて確認できない状態まで延伸したときの、先ほどの印の間の距離を測定する。第６に、各部位の伸長率（倍）＝（伸長状態の印間の距離）/（自然状態の印間の距離）の式にて、伸長率を算出する。
【０１０６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【０１０７】
本発明によれば、身体の股間に対するフィット性を確保しつつ臀部に対するフィット性も確保し、漏れを抑制できる使い捨ておむつを提供できる。
【符号の説明】
【０１０８】
１０    使い捨ておむつ
１０ＬＣ  ：おむつの前後方向の中心
１０ＷＣ  ：おむつの幅方向の中心
２１    表面シート
２２    サイドシート
２３    裏面シート
２４    外装シート
２７    サイドフラップ部
３０    吸収体
３１    吸収コア
３２    コアラップ
３３    低坪量部
４１    股下伸縮部
４２    脚回り伸縮部
４３    防漏伸縮部
４５    腰回り伸縮部
５１    インジケータ
７１    中央高剛性部
７２    後高剛性部
８１    装飾部
８５    変形基点部
９１    ファスニングテープ
９２    ベース部
９３    係合部
９５    ターゲット部
ＥＬ１  第１延長線
ＥＬ２  第２延長線
ＶＬ１  第１仮想線
ＶＬ２  第２仮想線
ＭＬ１  第１中間線
ＭＬ２  第２中間線
ＭＬ３  第３中間線
Ｓ１    前胴回り域
Ｓ２    後胴回り域
Ｓ３    股下域
Ｌ      前後方向
Ｔ      厚さ方向
Ｔ１    肌面側
Ｔ２    非肌面側
Ｗ      幅方向
【図１】
2020025789.tif 000003
【図２】
2020025789.tif 000004
【図３】
2020025789.tif 000005
【図４】
2020025789.tif 000006
【図５】
2020025789.tif 000007
【図６】
2020025789.tif 000008
【図７】
2020025789.tif 000009
【図８】
2020025789.tif 000010
【図９】
2020025789.tif 000011